(57)【要約】      （修正有）【課題】開封時に凸部を押圧する等の操作を必要とすることなく、凸部内の収容部から被包装物が不用意に飛び出すことなく、容易に開封することができ、しかも子供にとっては開封しにくいように構成され、誤飲防止等を可能にしたブリスターパックを提供する。【解決手段】ブリスターケースの周囲に、ブリスターシートと貼着シートとをシールする環状シール部を設け、該環状シール部の外側に、易剥離領域を隔てて、ブリスターシートと貼着シートとをシールするシール領域が設けられ、該易剥離領域は、前記環状シール部及び前記シール領域におけるシール強度よりも弱いシール強度の弱シール領域、若しくはブリスターシートと貼着シートとがシールされていない非シール領域とされ、且つ前記シール領域には、前記易剥離領域側に向かって前記貼着シートをブリスターシートから剥離する際の開封起点部が設けられている。【選択図】図１
2011148525.tif 000002
【特許請求の範囲】
【請求項１】
被包装物を収容可能な収容部（４）を有するブリスターケース（５）を具備したブリスターシート（１）と、該ブリスターケース（５）の収容部（４）の開口部分（４ａ）を覆うように前記ブリスターシート（１）に貼着される貼着シート（２）とからなるブリスターパックにおいて、前記ブリスターケース（５）の周囲には、ブリスターシート（１）と貼着シート（２）とをシールする環状シール部（６）が設けられ、該環状シール部（６）の外側には、易剥離領域（７）を隔てて、ブリスターシート（１）と貼着シート（２）とをシールするシール領域（８）が設けられ、該易剥離領域（７）は、前記環状シール部（６）及び前記シール領域（８）におけるブリスターシート（１）と貼着シート（２）とのシール強度よりも弱いシール強度でシールされた弱シール領域、若しくはブリスターシート（１）と貼着シート（２）とがシールされていない非シール領域とされ、且つ前記シール領域（８）には、前記易剥離領域（７）側に向かって前記貼着シート（２）をブリスターシート（１）から剥離する際の開封起点となる開封起点部（９）が設けられ、該開封起点部（９）からシール領域（８）における貼着シート（２）をブリスターシート（１）から剥離する剥離力により、前記易剥離領域（７）を介して前記環状シール部（６）における貼着シート（２）とブリスターシート（１）とのシールを剥離しうるように構成されていることを特徴とするブリスターパック。
【請求項２】
開封起点部（９）が、シール領域（８）において貼着シート（２）とブリスターシート（１）とを点状にシールするポイントシール部（１０）と、該ポイントシール部（１０）を介して断続的に形成されたスリット（１１）とで構成されている請求項１記載のブリスターパック。
【請求項３】
開封起点部（９）を起点としてブリスターシート（１）から剥離される貼着シート（２）を剥離する際に、シール領域（８）において貼着シート（２）の折り曲げを容易にするための折曲部（１２）が形成されている請求項１又は２記載のブリスターパック。
【請求項４】
貼着シート（２）が、合成樹脂製シートにアルミニウムをラミネートしてブリスターシート（１）に対して剥離可能に構成されたアルミニウムラミネートシートで構成されている請求項１乃至３のいずれかに記載のブリスターパック。
【発明の詳細な説明】
【技術分野】
【０００１】
本発明は、ブリスターパック、さらに詳しくは、主として手で引き裂いて開封する方式のブリスターパックであって、子供には開封が困難であるが、成人にとっては相応に開封可能で、錠剤やカプセル等の医薬品、食品、化粧品等の被包装物の包装に用いるブリスターパックに関する。
【背景技術】
【０００２】
従来、錠剤やカプセル等の医薬品の包装には、プラスチック製の成形シートに複数の凸部を形成し、この凸部内の収容部に固形剤からなる医薬品を収容してシールシートで密封し、服用時には上記凸部を押圧することにより固形剤からなる医薬品でシールシートを押し破って取り出すようにした、いわゆるＰＴＰ包装と称されるブリスターパックがある。このＰＴＰ包装のブリスターパックは、固形剤が個々に包装されていること、計数管理が容易であること、コンパクトで保管等が容易であること、取り出し操作が比較的簡単であること等の利点から、固形剤の包装に多用されている。そして、このようなＰＴＰ包装のブリスターパックに関する発明として、たとえば下記特許文献１のような特許出願がなされている。
【０００３】
ところが、この特許文献１に開示されたような従来のＰＴＰ包装のブリスターパックは、取出し操作が比較的簡単であるとはいえ、凸部を一つずつ押圧して固形剤を押出さなければならず、たとえば老人等のように握力の弱い使用者が使用する場合には、取出しが困難となることもあった。
【０００４】
そこで、このような問題点を解決するために、たとえば下記特許文献２のような特許出願がなされている。この特許文献２に記載された発明は、１回に取り出される収容部のみを開封して所定数量の被包装物を正確に且つ簡単に取り出すことができ、且つ錠剤、カプセル剤はもちろんのこと、顆粒剤、ゼリー、液剤などの被包装物や、崩壊錠のように壊れ易い被包装物の包装にも適用できるようなブリスターパックを提供するものである。
【０００５】
このブリスターパックは、複数の凸部を形成した成型シートにシールシートを貼り合わせて各凸部内の収容部を個別密封し、上記シールシートにスリットを設けて、このスリットによりシールシートを１回に取り出される収容部全体を覆う開封部に区画し、この開封部におけるシールシートの破断強度を、シールシートと成型シートとの接着強度よりも高く設定し、上記開封部の縁部に掴み部を設けて、この掴み部を引っ張ることにより開封部を成型シートから引き剥がし可能に構成したものである。
【０００６】
しかしながら、このようなブリスターパックにおいては、区画された開封部を成型シートから引き剥がすことによって、被包装物を取り出すように構成されているので、取り出す際に錠剤やカプセル等の被包装物が不用意に飛び出す可能性がある。
【０００７】
一方、上記のような従来のＰＴＰ包装のブリスターパックは、取出し操作が比較的簡単であり、子供にとっても内容物を容易に取り出すことができ、医薬品においては薬剤の誤飲等を生じさせる可能性がある。
【０００８】
その一方で、このような子供の誤飲等を防止するために、子供が開封しにくいように構成されたブリスターパックも開発されている。しかし、子供が開封しにくいように構成されたブリスターパックは、成人にとっても開封しにくい場合があり、特に老人等のように握力の弱い使用者が使用する場合には、取出しが困難となることもある。
【先行技術文献】
【特許文献】
【０００９】
【特許文献１】特開２００３−２２６３６０号公報
【特許文献２】特開２００１−４６４６９号公報
【発明の概要】
【発明が解決しようとする課題】
【００１０】
本発明は、このような問題点を解決するためになされたもので、ＰＴＰ包装等として使用するブリスターパックを開封する際において、従来のように凸部を押圧する等の操作を必要とすることなく、また凸部内の収容部から被包装物が不用意に飛び出すおそれがなく、老人等のように握力の弱い使用者が使用する場合においても容易に開封することができ、しかも子供にとっては開封しにくいように構成されており、子供の誤飲防止等を好適に図ることができるブリスターパックを提供することを課題とする。
【課題を解決するための手段】
【００１１】
本発明は、上記課題を解決するためになされたもので、被包装物を収容可能な収容部を有するブリスターケースを具備したブリスターシートと、該ブリスターケースの収容部の開口部分を覆うように前記ブリスターシートに貼着される貼着シートとからなるブリスターパックにおいて、前記ブリスターケースの周囲には、ブリスターシートと貼着シートとをシールする環状シール部が設けられ、該環状シール部の外側には、易剥離領域を隔てて、ブリスターシートと貼着シートとをシールするシール領域が設けられ、該易剥離領域は、前記環状シール部及び前記シール領域におけるブリスターシートと貼着シートとのシール強度よりも弱いシール強度でシールされた弱シール領域、若しくはブリスターシートと貼着シートとがシールされていない非シール領域とされ、且つ前記シール領域には、前記易剥離領域側に向かって前記貼着シートをブリスターシートから剥離する際の開封起点となる開封起点部が設けられ、該開封起点部からシール領域における貼着シートをブリスターシートから剥離する剥離力により、前記易剥離領域を介して前記環状シール部における貼着シートとブリスターシートとのシールを剥離しうるように構成されていることを特徴とするブリスターパックを提供する。
【００１２】
開封起点部としては、たとえばシール領域において貼着シートとブリスターシートとを点状にシールするポイントシール部と、該ポイントシール部を介して断続的に形成されたスリットとで構成されたようなものを採用することができる。また、開封起点部を起点としてブリスターシートから剥離される貼着シートを剥離する際に、シール領域において貼着シートの折り曲げを容易にするための折曲部を形成することも可能である。さらに、貼着シートとしては、たとえば合成樹脂製フィルムにアルミニウムをラミネートしてブリスターシートに対して剥離可能に構成されたアルミニウムラミネートフィルムのようなものを使用することができる。
【発明の効果】
【００１３】
本発明のブリスターパックは、上述のように、ブリスターケースの周囲に、ブリスターシートと貼着シートとをシールする環状シール部が設けられ、該環状シール部の外側には、易剥離領域を隔てて、ブリスターシートと貼着シートとをシールするシール領域が設けられ、該易剥離領域は、前記環状シール部及び前記シール領域におけるブリスターシートと貼着シートとのシール強度よりも弱いシール強度でシールされた弱シール領域、若しくはブリスターシートと貼着シートとがシールされていない非シール領域とされ、且つ前記シール領域には、前記易剥離領域側に向かって前記貼着シートをブリスターシートから剥離する際の開封起点となる開封起点部が設けられたものであるため、使用者は、上記開封起点部を起点として、シール領域において貼着シートをブリスターシートから剥離することができ、そのシール領域における剥離力により、易剥離領域においても貼着シートをブリスターシートから剥離することができ、さらに、前記シール領域の剥離力を、易剥離領域を介して環状シール部にも作用させることができ、その結果、環状シール部においても、貼着シートとブリスターシートとのシールを剥離することができる。
【００１４】
特に、被包装物の収容部分であるブリスターケースの周囲では、環状シール部においてブリスターシートと貼着シートとがシールされているのみであり、その環状シール部の外側に、上記のような弱シール領域若しくは非シール領域とされた易剥離領域が設けられているので、易剥離領域におけるブリスターシートからの貼着シートのスムーズな剥離力が、そのまま環状シール部に作用することとなり、環状シール部で貼着シートをブリスターシートから剥離する場合においても、ブリスターケースに無理な力が作用することもなく、被包装物を取り出す際に被包装物が不用意に飛び出すようなおそれもない。
【００１５】
このように、本発明においては、貼着シートをブリスターシートから剥離する際に、無理な力を加える必要がなく、また被包装物の不用意な飛び出し等を生じさせることなく、被包装物をブリスターケースの収容部から取り出すことができ、また従来のように被包装物が収容された凸部を押圧する等の操作を必要とすることもない。従って、たとえば老人等のように握力の弱い使用者が使用する場合であっても、貼着シートをブリスターシートからスムーズに剥離させることができ、被包装物の取出しが困難となることもない。
【００１６】
さらに、上記のように開封起点部を起点とし、一旦シール領域で貼着シートをブリスターシートから強い剥離力で剥離した後、易剥離領域では弱い剥離力で貼着シートをブリスターシートから剥離することができ、その後は環状シール部において貼着シートをブリスターシートから強い剥離力で剥離しなければならないので、開封起点部を起点とした後の貼着シートをブリスターシートから剥離する操作や、ブリスターケースの収容部の開封の操作が単純ではなく、従って、子供にとっては開封しにくいように構成されているので、子供の誤飲等を防止することが可能となる。
【図面の簡単な説明】
【００１７】
【図１】一実施形態としてのブリスターパックの平面図。
【図２】図１のＡ−Ａ線断面図。
【図３】ブリスターパックを連設したブリスターパック連設体の平面図。
【図４】開封時にブリスターパックを反転させた状態を示す断面図。
【図５】開封起点部を開封起点として剥離シートをブリスターシートから剥離する直後の状態を示す断面図。
【図６】剥離シートをブリスターシートから剥離する状態を示す断面図。
【図７】他実施形態のブリスターパックの平面図。
【発明を実施するための形態】
【００１８】
本発明のブリスターパックは、上述のように、被包装物を収容可能な収容部を有するブリスターケースを具備したブリスターシートと、該ブリスターケースの収容部の開口部分を覆うように前記ブリスターシートに貼着される貼着シートとからなるブリスターパックにおいて、前記ブリスターケースの周囲には、ブリスターシートと貼着シートとをシールする環状シール部が設けられ、該環状シール部の外側には、易剥離領域を隔てて、ブリスターシートと貼着シートとをシールするシール領域が設けられ、該易剥離領域は、前記環状シール部及び前記シール領域におけるブリスターシートと貼着シートとのシール強度よりも弱いシール強度でシールされた弱シール領域、若しくはブリスターシートと貼着シートとがシールされていない非シール領域とされ、且つ前記シール領域には、前記易剥離領域側に向かって前記貼着シートをブリスターシートから剥離する際の開封起点となる開封起点部が設けられ、該開封起点部からシール領域における貼着シートをブリスターシートから剥離する剥離力により、前記易剥離領域を介して前記環状シール部における貼着シートとブリスターシートとのシールを剥離しうるように構成されているものである。
【００１９】
ブリスターシートの形状は、特に限定されるものではないが、たとえば平面略長方形状に形成することができる。また、貼着シート２の形状も特に限定されるものではないが、ブリスターシートに貼着されるものであるので、ブリスターシートの形状に合わせて形成することが望ましい。また、ブリスターケースの形状も特に限定されるものではなく、たとえば平面円形状のものや、平面楕円形状のものを使用することができる。
【００２０】
また、ブリスターシート１の材質も問うものではなく、ポリエチレンやポリプロピレン等のポリオレフィン系合成樹脂、ポリエステル、ポリ塩化ビニル等の種々の合成樹脂の素材を用いることが可能である。
【００２１】
さらに、貼着シート２の材質も問うものではないが、アルミニウムと合成樹脂製シートとをラミネートしてブリスターシートに対して剥離可能に構成されたいわゆるアルミラミネートシートで構成されたものを用いるのが望ましい。このようなアルミラミネートシートで貼着シート２を構成することによって、特に子供にとっては開封操作が困難となり、誤飲防止をより好適に防止することが可能となる利点がある。
【００２２】
このようなアルミラミネートシートとしては、たとえば脂肪族ポリアミドやポリエチレンテレフタレート等からなるベースフィルムにアルミニウムを積層し、そのアルミニウムにポリ塩化ビニルやポリプロピレン等を積層して多層構造にしたようなものが用いられる。
【００２３】
ただし、上記のようなアルミラミネートシートで貼着シート２を構成することは、本発明の必須の条件ではなく、たとえばアルミニウム等の金属を含まない合成樹脂製シートからなるようなものを使用することも可能である。この場合、２種以上の合成樹脂をラミネートしたシートを用いることも可能であるが、ラミネートしていない単層の合成樹脂製シートを用いることも可能である。
【００２４】
開封起点部としては、たとえばシール領域において貼着シートとブリスターシートとを点状にシールするポイントシール部と、該ポイントシール部を介して断続的に形成されたスリットとで構成されたようなものを採用することができる。このスリットは、貼着シートとブリスターシートとに貫通して形成されることが望ましいが、ブリスターシートのみに形成することも可能である。また、ポイントシール部は、複数設けられていてもよく、１箇所のみに設けられていてもよい。
【００２５】
また、開封起点部を起点としてブリスターシートから剥離される貼着シートを剥離する際に、シール領域において貼着シートの折り曲げを容易にするための折曲部を形成することも可能である。この折曲部としては、ブリスターシートのみに貫通して形成されたスリット状のようなものを採用することができ、また貫通せずに深さ方向に半分程度裁断されたハーフスリット状に形成されたようなものを採用することもできる。開封起点部として、上記のようなポイントシール部と、スリットとで構成されたようなものを採用する場合、スリットからなる開封起点部の両端部は、折曲部に近接して形成するか、若しくは連続して形成することが望ましい。
【００２６】
環状シール部の形状も特に限定されるものではなく、たとえば円形のリング状のような形状とすることができる。環状シール部はブリスターケースの周囲に形成されるので、ブリスターケースの形状に合わせて形成するのが望ましい。
【００２７】
また、易剥離性領域やシール領域の平面形状も特に限定されるものではない。尚、本発明のブリスターパックの用途も、医薬品、食品、化粧品等、その用途は問うものではない。
【００２８】
以下、本発明のブリスターパックのより具体的な実施形態について図面に従って説明する。
【００２９】
一実施形態のブリスターパックは、図１及び図２に示すように、ブリスターシート１と、貼着シート２とで構成されている。ブリスターシート１は、被包装物３を収容可能な収容部４を有する凸状のブリスターケース５を具備して構成されている。このブリスターケース５は、図１に示すように、平面円形のものである。貼着シート２は、図２に示すように、前記ブリスターケース５の収容部４の開口部分４ａを覆うように、前記ブリスターシート１に貼着されている。
【００３０】
ブリスターシート１は、ブリスターケース５を含めて全体が合成樹脂で構成されている。
【００３１】
また貼着シート２は、合成樹脂製シートにアルミニウムをラミネートしたアルミニウムラミネートシートで構成されている。
【００３２】
貼着シート２は、ブリスターシート１に貼着されるものであり、そのように貼着シート２がブリスターシート１に貼着された状態において、ブリスターケース５の周囲には、図１に示すように、平面円形のリングからなる環状シール部６が形成されている。この環状シール部６は、熱等によりブリスターシート１を貼着シート２にシールすることによって形成されている。
【００３３】
そして、前記環状シール部６の外側には、該環状シール部６においてブリスターシート１と貼着シート２とがシールされたシール強度よりも弱いシール強度の弱シール状態でシールされた易剥離領域７が、前記環状シール部６を包囲するように形成されている。この易剥離領域７は、図１に示すように、平面略長方形状に形成されている。
【００３４】
そして、その易剥離領域７の外側は、前記易剥離領域７のシール強度よりも強く、前記環状シール部６のシール強度と同程度のシール強度でシールされたシール領域８として形成されている。すなわち、このシール領域８は、前記ブリスターケース５、環状シール部６、易剥離領域７を除く全域に、且つ該易剥離領域７を包囲するように形成されている。また該シール領域８は、図１に示すように、面積の大きい前方辺部８ａと、該前方辺部８ａと反対側の面積の小さい後方辺部８ｂと、該後方辺部８ｂと同程度の面積の側方辺部８ｃ、８ｄとからなる。
【００３５】
前記シール領域８の前方辺部８ａには、ブリスターパックを開封する起点となる開封起点部９が設けられている。この開封起点部９は、図１に示すように、前記シール領域８において貼着シート２とブリスターシート１とを点状にシールする複数のポイントシール部１０と、該ポイントシール部１０を介して断続的に形成されたスリット１１によって構成されるものである。この場合、スリット１１はブリスターシート１のみに形成することも可能であるが、本実施形態では貼着シート２からブリスターシート１に貫通して形成されている。前記開封起点部９は、図１に示すように、全体が略弓形の軌道を描いて形成されている。
【００３６】
また、前記開封起点部９を起点として前記貼着シート２を前記ブリスターシート１から剥離する際に、貼着シート２の折り曲げを容易にするための折曲部１２が、前記開封起点部９の両端部９ａ、９ｂに連続して形成されている。この折曲部１２は、ブリスターシートのみに貫通してスリット状に形成されている。
【００３７】
そして、このような構成からなるブリスターパック１３は、後方辺部８ｂ側で相互に連設されているとともに、側方辺部８ｃ、８ｄ側においても相互に連設されていることによって、図３に示すように、複数のブリスターパック１３が連設されたブリスターパック連設体１４が得られることとなる。
【００３８】
この場合、一のブリスターパック１３の後方辺部８ｂと、その一のブリスターパック１３に隣接するブリスターパック１３の後方辺部８ｂとの境界線部分にはミシン目１５が形成されている。また、一のブリスターパック１３の側方辺部８ｃと、その一のブリスターパック１３に隣接するブリスターパック１３の側方辺部８ｃ、８ｄとの境界線部分にもミシン目１５が形成されている。ただし、このようなミシン目１５を形成することは条件となるものではなく、ミシン目１５を形成せずに複数のブリスターパック１３を連接してブリスターパック連設体１４を構成することも可能である。
【００３９】
本実施形態のブリスターパック１３は、たとえばカプセル、錠剤等の医薬品の包袋用として用いられる。その際、被包袋物として単位あたりの医薬品（カプセル剤であれば１カプセル、錠剤であれば１錠）が１つのブリスターパック１３の収容部４内に収容されるので、上記図３に示すようなブリスターパック連設体１４には、ブリスターパック１３が連設された個数分の医薬品が収容されることとなる。たとえば上記図３の例では、１０個のブリスターパック１３が連設されてブリスターパック連設体１４が構成されているので、１０カプセル又は１０錠の医薬品が収容されることとなる。
【００４０】
このようなブリスターパック連設体１４は、一般のＰＴＰ包装等の場合と同様に、製薬メーカーによって販売される商品としての流通時や、調剤薬局等から患者に提供される処方時等において、複数のブリスターパック１３が連設されたままの状態で使用される。
【００４１】
患者等、医薬品を投与する使用者が使用する際にも、ブリスターパック連設体１４の状態で開封や被包装物の取り出しを行うことができるが、予めブリスターパック連設体１４をブリスターパック１３ごとに分断した後に、開封や被包装物の取り出しを行うことも可能である。
【００４２】
尚、本実施形態では、便宜上、１個の被包袋物を収容しうるものをブリスターパック１７とし、そのブリスターパック１３を複数連設したものをブリスターパック連設体１４として説明したが、本発明における「ブリスターパック」とは、本実施形態における１個の被包袋物を収容しうるブリスターパック１３のみならず、上記ブリスターパック連設体１４のように、１個の被包袋物を収容しうるものをさらに複数連設したようなものも含む意味であり、従ってブリスターパックに具備されている収容部４の個数も問わないものである。
【００４３】
次に、このような構成からなるブリスターパックを開封する場合について説明する。上述のように、患者等の使用者は、複数のブリスターパック１３が連設されたブリスターパック連設体１４の状態で開封や被包装物の取り出しを行うことができ、また予めブリスターパック連設体１４をブリスターパック１３ごとに分断した後に、開封や被包装物の取り出しを行うこともできる。
【００４４】
しかしながら、いずれの手順を採用しても、被包装物を取り出す操作及び作用は共通するので、ここでは、便宜上、１個のブリスターパック１３のみに着目し、そのブリスターパック１３を開封して被包装物を取り出す操作と作用について説明する。
【００４５】
先ず、図４に示すようにブリスターパック１３のブリスターケース５を下向き、すなわちブリスターケース５の収容部４の開口部分４ａを上向きとし、その状態で、図５に示すように開封起点部９に沿って貼着シート２及びブリスターシート１を分断するとともに、該開封起点部９を起点として、貼着シート２をブリスターシート１から剥離し、貼着シート２を持ち上げる。
【００４６】
この場合において、開封起点部９は、上述のように、シール領域８において貼着シート２とブリスターシート１とを点状にシールする複数のポイントシール部１０を介して断続的に形成されたスリット１１によって構成されているため、開封前の状態においては、ポイントシール部１０によってシール領域８における貼着シート２が連設された状態となっているので、開封起点部９の位置において貼着シート２がブリスターシート１から不用意に分断されることもない。
【００４７】
一方、開封時においては、貼着シート２及びブリスターシート１を強制的に持ち上げることによって、複数のポイントシール部１０が切離され、複数のスリット１１が連続する状態となるので、開封起点部９に沿って貼着シート２及びブリスターシート１を分断することが可能になるとともに、貼着シート２をブリスターシート１から剥離することが可能となる。
【００４８】
また、この場合において、開封起点部９は、上述のように全体が略弓形の軌道を描いて形成され、且つ該開封起点部９の両端部９ａ、９ｂに連続して折曲部１２が形成されているため、貼着シート２は、図５に示すように、折曲部１２の線に沿ってスムーズに折り曲げられることとなる。
【００４９】
そして、折曲部１２の線に沿って折り曲げられた貼着シート２及びブリスターシート１を把持し、さらにシール領域８の前方辺部８ａから後方辺部８ｂ側に向かって、貼着シート２及びブリスターシート１を持ち上げると、貼着シート２はブリスターシート１から剥離されることとなる。
【００５０】
この場合において、シール領域８におけるブリスターシート１と貼着シート２とがシールされたシール強度よりも弱いシール強度の弱シール状態でシールされた易剥離領域７が、前記折曲部１２の位置に近接して、該折曲部１２よりも後方辺部８ｂ側に形成されているため、上記のように折曲部１２の線に沿って折り曲げられた貼着シート２をシール領域８の前方辺部８ａから後方辺部８ｂ側に向かって剥離させることで、その剥離力が易剥離領域７に好適に作用することとなる。
【００５１】
この結果、易剥離領域７において、大きな負荷を伴うことなく貼着シート２をブリスターシート１から剥離することができる。そして、易剥離領域７においてブリスターシート１から剥離された貼着シート２は、環状シール部６に到達することとなる。
【００５２】
この場合、環状シール部６におけるブリスターシート１と貼着シート２とがシールされたシール強度は、易剥離領域７におけるブリスターシート１と貼着シート２とがシールされたシール強度よりも強いため、本来であれば、その環状シール部６において貼着シート２のブリスターシート１からの剥離が一旦停止する可能性がある。
【００５３】
しかしながら、剥離シート２は、上述のように開封直後において開封起点部９の複数のスリット１１に沿って分断され、その後に折曲部１２の線に沿って折り曲げられた状態とされているため、その折曲部１２の位置からシール領域８の前方辺部８ａから後方辺部８ｂ側に向かって剥離させる剥離力を、易剥離領域７（易剥離領域）に好適に作用させることができ、さらに易剥離領域７においては、大きな負荷を伴うことなく貼着シート２をブリスターシート１からスムーズに剥離することができるので、その易剥離領域７におけるスムーズな剥離力を、そのまま環状シール部６に作用させることができる。
【００５４】
この結果、環状シール部６におけるブリスターシート１と貼着シート２とのシール強度が、易剥離領域７におけるブリスターシート１と貼着シート２とのシール強度よりも強いとはいえ、環状シール部６におけるシール幅が短いので、環状シール部６におけるブリスターシート１と貼着シート２とのシール状態は、一瞬にして解除することができ、その環状シール部６において貼着シート２をブリスターシート１から好適に剥離することができる。
【００５５】
また、環状シール部６は、易剥離領域７に包囲されているため、環状シール部６において貼着シート２をブリスターシート１から剥離した後、再度、易剥離領域７において、大きな負荷を伴うことなく貼着シート２をブリスターシート１から剥離することができる。そして、易剥離領域７においてブリスターシート１から剥離された貼着シート２は、シール領域８の後方辺部８ｂに到達することとなる。
【００５６】
そして、易剥離領域７において、大きな負荷を伴うことなく貼着シート２をブリスターシート１から剥離することができるので、その剥離力によって、シール領域８の後方辺部８ｂにおいても貼着シート２をブリスターシート１から好適に剥離させることができる。ただし、上記のような環状シール部６におけるブリスターシート１と貼着シート２とのシール状態を解除すれば、ブリスターケース５の収容部４の開口部４ａが開口することとなるので、シール領域８の後方辺部８ｂにおいて貼着シート２は必ずしもブリスターシート１から剥離する必要はなく、シールされた状態のまま残存させてもよい。
【００５７】
以上のように、本実施形態では、開封起点部９に沿って貼着シート２をブリスターシート１とともに分断することができるとともに、該開封起点部９を起点として、シール領域８において貼着シート２をブリスターシート１から剥離することができ、そのシール領域８における剥離力により、易剥離領域７においても貼着シート２をブリスターシート１から剥離することができ、さらにシール領域８の剥離力を、易剥離領域７を経て環状シール部６にも作用させることができ、その結果、環状シール部６においても、貼着シート２とブリスターシート１とのシールを剥離することができる。
【００５８】
特に、被包装物の収容部分であるブリスターケース５の周囲では、シール幅の小さい環状シール部６においてブリスターシート１と貼着シート２とがシールされているのみであり、その環状シール部６の外側は、環状シール部６を包囲するように易剥離領域７が設けられているので、環状シール部６で貼着シート２をブリスターシート１から強制的に剥離する場合においても、ブリスターケース５に無理な力が作用することもなく、被包装物を取り出す際に被包装物が不用意に飛び出すようなおそれもない。
【００５９】
このように、貼着シート２をブリスターシート１から剥離する際に、無理な力を加える必要がなく、また被包装物の不用意な飛び出し等を生じさせることなく、被包装物をブリスターケース５の収容部から取り出すことができ、従って、たとえば老人等のように握力の弱い使用者が使用する場合であっても、貼着シート２をブリスターシート１からスムーズに剥離させることができ、被包装物の取出しが困難となることもない。
【００６０】
さらに、上記のように開封起点部９を起点とし、一旦シール領域８で貼着シート２をブリスターシート１から強い剥離力で剥離した後、易剥離領域７で弱い剥離力で貼着シート２をブリスターシート１から剥離することができ、その後は環状シール部６において貼着シート２をブリスターシート１から強い剥離力で剥離しなければならないので、開封起点部９を起点とした後の貼着シート２をブリスターシート１から剥離する操作や、ブリスターケース５の収容部４の開封の操作が単純ではなく、従って、子供にとっては開封しにくいように構成されており、子供の誤飲等を防止することが可能となる。
【００６１】
尚、上記実施形態では、易剥離領域７として、環状シール部６においてブリスターシート１と貼着シート２とがシールされたシール強度よりも弱いシール強度の弱シール状態でシールされた弱シール領域として形成されたものを採用したが、これに限らず、ブリスターシートと貼着シートとがシールされていない非シール領域として形成されたものを採用することも可能である。
【００６２】
また上記実施形態では、折曲部１２が、ブリスターシートのみに貫通してスリット状に形成されていたが、これに限らず、貫通せずに深さ方向に半分程度裁断されたハーフスリット状に形成することも可能である。
【００６３】
さらに上記実施形態では、折曲部１２が、開封起点部９の両端部９ａ、９ｂに連続して形成されていたが、必ずしも連続して形成させる必要はなく、連続させずに近接して形成することも可能である。
【００６４】
また上記実施形態では、易剥離領域７が平面略長方形状に形成されていたが、易剥離領域７の形状も該実施形態に限定されるものではない。たとえば図７に示すように、内側に円弧面を有する平面略コ字状の易剥離領域７ａ、７ｂを相対面して設けたような形状のものであってもよい。
【００６５】
この図７の実施形態においては、易剥離領域７ａ、７ｂと環状シール部６との間が離間して設けられており、その離間した部分もシール領域８として形成されている。この点で、離間させずに、易剥離領域７が環状シール部６に連続して設けられていた図１の実施形態と相違している。また、この図７の実施形態においては、易剥離領域７ａ、７ｂの相互間も離間して設けられており、その離間した部分もシール領域８として形成されている。
【００６６】
さらに上記実施形態では、開封起点部９が、略弓形の軌道を描いて形成されていたが、開封起点部９が描く軌道の形状も該実施形態に限定されるものではない。さらに環状シール部６の形状も該実施形態の円形のリング状に限定されるものではない。
【符号の説明】
【００６７】
１  ブリスターシート
２  貼着シート
３  被包装物
４  収容部
５  ブリスターケース
６  環状シール部
７  易剥離領域
８  シール領域
９  開封起点
１０  スリット
１１  ポイントシール
１２  折曲部
１３  ブリスターパック
【図１】
2011148525.tif 000003
【図２】
2011148525.tif 000004
【図３】
2011148525.tif 000005
【図４】
2011148525.tif 000006
【図５】
2011148525.tif 000007
【図６】
2011148525.tif 000008
【図７】
2011148525.tif 000009